(57)【要約】【課題】ＩＣカードの読み取り器をノートパソコンに実装する場合、読み取り器モジュール部の厚みぶんまで増やすことのない筐体、および読み取り器の実装構造を提供することを目的とする。【解決手段】ＩＣカードの非接触読み取り器を搭載したノートパソコン１０であって、情報処理回路を収容した本体部１１を備え、ユーザが入力操作を行う方向から見て、前記上部筐体面１１ａを手前に傾斜させ、傾斜によって厚みを増した空間に前記非接触読み取り器のモジュール部１５ｂを実装した構成とすることで、ＩＣカードの非接触読み取り器をノートパソコンに搭載する際に、読み取り器のモジュール部の実装の厚みぶんまで増やすことなく、ノートパソコンに搭載可能となり、外観上薄く見えるばかりでなく、キーボードも手前に傾斜するのでユーザにとってキー入力操作がより、し易くなる。【選択図】図１
2009059285.tif 000002
【特許請求の範囲】
【請求項１】
電磁波により非接触ＩＣカードとのデータのやり取りができる非接触読み取り器を搭載したノート型パーソナルコンピュータであって、
ＣＰＵ、ハードディスクドライブなどの情報処理回路を収容した本体部を備え、
ユーザが入力操作を行う方向から見て、前記上部筐体面を手前に傾斜させ、傾斜によって厚みを増した空間に前記非接触読み取り器のモジュール部を実装した構成であることを特徴とするノート型パーソナルコンピュータ。
【請求項２】
前記本体部の上部筐体面に配置した、ユーザが入力操作を行うキーボードの入力操作を行う方向から見て、前記キーボードの手前下辺部に前記非接触読み取り器の読み取り部を配置したことを特徴とする請求項１に記載のノート型パーソナルコンピュータ。
【発明の詳細な説明】
【技術分野】
【０００１】
本発明は、ノート型パ−ソナルコンピュータ（以下、ノートパソコン）の筐体、および非接触ＩＣカードの読み取り器の実装構造に関するものである。
【背景技術】
【０００２】
近年、ノートパソコンは小型軽量化が進み、持ち運びが容易となってきたが、反面、不正なユーザがこれら機器を無断で持ち去る、あるいは正規のユーザが不在の間にノートパソコンを起動して、ハードディスクドライブ（ＨＤＤ）内のデータを盗み出すといった行為も増えてきている。ノートパソコンの持ち去りについては、いわゆるセキュリティワイヤを用いることにより、比較的容易に盗難防止を実現することができる。一方、ＨＤＤ内のデータを盗み出す行為は、起動時に正規のユーザのみが知っているパスワードを入力する、あるいは、ＩＤカードをノートパソコンのスロットに挿入しないと起動しないシステムを採用することで解決できる。
【０００３】
近年は、ＩＤカードをスロットに挿入しないで、読み取り部にかざすだけでデータのやり取りができる非接触ＩＣカード（以下、ＩＣカード）もある。これは不揮発メモリと無線通信チップを内蔵した樹脂製のＩＣカードであり、偽造、変造がしにくいようセキュリティ機構も備えている。また、ＩＣカード内の電子回路は、読み取り器から発信される電磁波で電力を受け取って駆動する方式になっているおり、ＩＣカード内には電池などの電源を持たないため、電池切れで使えないといったことはない。
【０００４】
図２は、ＩＣカードの非接触読み取り器（以下、読み取り器）を搭載したノートパソコンの一例である。
【０００５】
図２（ａ）はノートパソコンの斜視図、図２（ｂ）は図２（ａ）の破線部で切断した断面図である。なお、図２（ｂ）では、表示部はノートパソコンを構成するのには必須のデバイスではあるが、本願にとっては重要ではないので破線で表示し、詳細な図示は省略している。
【０００６】
図２において、１０はノートパソコン、１１はＣＰＵ（中央処理装置）、ＨＤＤなどの情報処理回路、バッテリー等を収容した本体部、１２は画像、文字等を表示する液晶表示パネル（図示せず）を含む表示部である。１３，１４はキーボード、マウスパッドであり、ユーザがノートパソコン１０に入力操作を行うデバイスである。１５はＩＣカードの非接触読み取り器であり、１５ａはＩＣカードをかざすだけでデータのやり取りができる読み取り器の読み取り部、１５ｂは読み取り器のモジュール部である。また、１１ａは本体部１１の上部筐体でありノートパソコン本体部の堅牢性を維持するために、アルミニウム、マグネシウムなどの軽金属、あるいはこれらの合金で成型されている。
【０００７】
以上のように構成された従来のノートパソコンについて、以下その詳細について説明する。
【０００８】
ＩＣカードを読み取り部１５ａにかざしてノートパソコンを起動する場合、ユーザにとって読み取り部１５ａは、上部筐体１１ａ上にあるキーボード１３、マウスパッド１４付近に配置されているのが操作するうえで好ましい。
【特許文献１】特開２００６−１０７３４１号公報
【特許文献２】特開２００２−３４１９６７号公報
【特許文献３】特開２００３−８７２６３号公報
【特許文献４】特開２００４−１８５２５８号公報
【発明の開示】
【発明が解決しようとする課題】
【０００９】
しかしながら、読み取り部１５ａを配置できる場所はキーボード１３より手前の、マウスパッド１４以外のパームレスト部１１ｂに限られる。また、上述のように本体部１１の堅牢性を保つために上部筐体１１ａを金属成型で構成しているが、ＩＣカードと読み取り器１５の間は電磁波で通信するため、電磁波を通さない金属の筐体で構成した場合には、電磁波を扱う読み取り器１５の周囲は金属筐体で覆うことはできず、さらにその配置は限定される。
【００１０】
また、近年はノートパソコンの軽量コンパクト化に加え、薄型化も進み、このような読み取り器１５のモジュール部１５ｂを図２（ｂ）のように実装すれば、薄型化に反して厚みが増し、好ましくない。特に図２（ｂ）に示すように本体部１１のキーボード１３の手前に読み取り部１５ａ、モジュール部１５ｂを配置すればモジュールのサイズぶん、より厚くなり、本体部のサイズも外観上、大きく見える。
【００１１】
本発明は上記従来の問題点を解決するもので、ＩＣカードの読み取り器をノートパソコンに実装する場合、読み取り器モジュール部の厚みぶんまで増やすことのない筐体、および読み取り器の実装構造を提供することを目的とする。
【課題を解決するための手段】
【００１２】
本発明の請求項１に記載の発明は、
電磁波により非接触ＩＣカードとのデータのやり取りができる非接触読み取り器を搭載したノート型パーソナルコンピュータであって、
ＣＰＵ、ハードディスクドライブなどの情報処理回路を収容した本体部を備え、
ユーザが入力操作を行う方向から見て、前記上部筐体面を手前に傾斜させ、傾斜によって厚みを増した空間に前記非接触読み取り器のモジュール部を実装した構成であることを特徴とするノート型パーソナルコンピュータ、としたものであり、
ＩＣカードの非接触読み取り器をノートパソコンに搭載する際に、読み取り器のモジュール部の実装の厚みぶんまで増やすことなく、ノートパソコンに搭載可能となり、外観上薄く見えるばかりでなく、キーボードも手前に傾斜するのでユーザにとってキー入力操作がより、し易くなるという作用を有する。
【発明の効果】
【００１３】
以上のように本発明は、ＩＣカードの非接触読み取り器をノートパソコンに搭載する際に、読み取り器のモジュール部の実装の厚みぶんまで増やすことなく、ノートパソコンに搭載可能となり、外観上薄く見えるばかりでなく、キーボードも手前に傾斜するのでユーザにとってキー入力操作がより、し易くなるという優れた効果が得られる。
【発明を実施するための最良の形態】
【００１４】
以下、本発明の実施の形態について、図１（ａ）〜（ｃ）を用いて説明する。
【００１５】
（実施の形態１）
図１は、ＩＣカードの非接触読み取り器（以下、読み取り器）を搭載したノート型パーソナルコンピュータ（以下、ノートパソコン）の一例を示す断面図である。図１（ａ）はノートパソコンの断面図、図１（ｂ）は図１（ａ）の一部拡大した図、図１（ｃ）は図１（ｂ）を模式的に示した図である。なお、図１（ａ）では表示部はノートパソコンを構成するのには必須のデバイスではあるが、本願にとっては重要ではないので破線で表示し、詳細な図示は省略している。
【００１６】
図１において、１０はノートパソコン、１１はＣＰＵ（中央処理装置）、ＨＤＤなどの情報処理回路、バッテリー等を収容した本体部、１２は画像、文字等を表示する液晶表示パネル（図示せず）を含む表示部である。１３はキーボードであり、ユーザがノートパソコン１０に入力操作を行うデバイスである。１５は電磁波によりＩＣカードをかざすだけでデータのやり取りができる読み取り器、１５ａはＩＣカードをかざす読み取り部、１５ｂは読み取り器のモジュール部である。また、１１ａ（図１（ｃ））は本体部１１の上部筐体、１１ｂ（図１（ｂ））は本体部１１の筐体の一部であり、ユーザがキーボード１３を用いて入力操作を行う際に手首に近い手のひらを置くパームレストである。また、本体部１１の筐体は、ノートパソコンの堅牢性を維持するために、アルミニウム、マグネシウムなどの軽金属、あるいはこれらの合金で成型されている。
【００１７】
以上のように構成された読み取り器を搭載したノートパソコンについて、図１を用いてその詳細を説明する。
【００１８】
読み取り部１５のモジュール部１５ｂの配置は、キーボード１３より手前のパームレスト部１１ｂに限られる。また、ノートパソコン薄型化を損なわずキーボード１３より手前のパームレスト部１１ｂの本体部１１にモジュール部１５ｂを実装するには、図１（ｃ）で示すようにユーザが入力操作を行う方向から見て、上部筐体１１ａ面を手前に傾斜させ、傾斜によって厚みを増した空間に読み取り器１５のモジュール部１５ｂを実装する。また傾斜した上部筐体１１ａは前方ほど本体部１１の厚みが薄くなるため、読み取り部１１ａは配置が可能で最も厚みのある部分、すなわちユーザが入力操作を行うキーボード１３の入力操作を行う方向から見て、キーボード１３の手前下辺部に読み取り器１５の読み取り部１５ａを配置する。
【００１９】
また、上部筐体１１ａ面を手前に傾斜させたぶん、本体部１１手前は薄くなるが、後方は厚くなり本体部の容積はほとんど変化しないが、外観上薄く見えるようになる。また、上部筐体１１ａ面を手前に傾斜させることで、上部筐体１１ａ面上に配置したキーボード１３も手前に傾斜するのでユーザにとってキー入力操作がより、し易くなる。
【００２０】
以上のように本実施の形態によれば、ＩＣカードの非接触読み取り器をノートパソコンに搭載する際に、読み取り器のモジュール部の実装の厚みぶんまで増やすことなく、ノートパソコンに搭載可能となり、外観上薄く見えるばかりでなく、キーボードも手前に傾斜するのでユーザにとってキー入力操作がより、し易くなる。
【産業上の利用可能性】
【００２１】
本発明にかかるノートパソコンは、ＩＣカードの非接触読み取り器をノートパソコンに搭載する際に、読み取り器のモジュール部の実装の厚みぶんまで増やすことなく、ノートパソコンに搭載可能となり、外観上薄く見えるばかりでなく、キーボードも手前に傾斜するのでユーザにとってキー入力操作がより、し易くなる効果を有し、ノートパソコンの筐体、および非接触ＩＣカードの読み取り器の実装構造等として有用である。
【図面の簡単な説明】
【００２２】
【図１】（ａ）はノートパソコンの断面図、（ｂ）は（ａ）の一部拡大した図、（ｃ）は（ｂ）を模式的に示した図
【図２】（ａ）はノートパソコンの斜視図、（ｂ）は（ａ）の破線部で切断した断面図
【符号の説明】
【００２３】
１０  ノートパソコン
１１  本体部
１１ａ  上部筐体
１１ｂ  パームレスト
１２  表示部
１３  キーボード
１４  マウスパッド
１５  ＩＣカードの非接触読み取り器
１５ａ  読み取り部
１５ｂ  モジュール部
【図１】
2009059285.tif 000003
【図２】
2009059285.tif 000004